(57)【要約】      （修正有）【課題】ゴルフ場等で使用されている旗において、真正面と真後ろからの風向きを判断することが出来る旗を提供する。【解決手段】現在使用されている表裏同一色の一枚の布や合成樹脂製のシート材で作られている旗４の裏側に取り付けるものである。旗と色の異なるピンフラッグの先端部に風を通すためのフラッグ取り付け装置８を取り付ける。さらにピンフラッグの裏面には半円球状の突起１３を取り付けた。【選択図】図２
2006208627.tif 000002
【特許請求の範囲】
【請求項１】
表裏同一色のシート材で構成された既存の旗（４）の裏面となる側に色彩の異なる、もうひとつのシート材（７）を取り付け、表裏色違いの一対の旗となるようにしたことを特徴としたピンフラッグ（６）。
【請求項２】
請求項1記載のピンフラッグ（６）において、既存の旗(４)とシート材(７)を取り付けるための断面形状が、略コ字状で風を通すための段部（１０）が一個又は、二個連続して形成された細長い板状であって、段部の両端には、取り付け底部（１１）と段部中央部長手方向の側面には、風受け部（９）を有するフラッグ取り付け装置を用いることを特徴とした、ピンフラッグ（６）。
【請求項３】
請求項1又は、2記載のピンフラッグ(６)において、既存の旗(４)と対向するシート材（７）の面に、密着を防止して風の通りを良くするための半円球状の突起(１３)を取り付けたことを特徴とするピンフラッグ（６）。
【発明の詳細な説明】
【技術分野】
【０００１】
この発明はゴルフ等に用いるピンフラッグに関する。
【背景技術】
【０００２】
従来のゴルフ等に用いる旗で真正面と真後ろからの風向きを判断出来るように作られたものとしては、旗を構成するシート材の表裏の色を変え、色の位置関係で判断出来るようにしたものがある。図１７と図１８に示すように表裏色違いの二枚の布や合成樹脂製のシート材を張り合わせて作られているもの（特許文献１参照）又、図１９と図２０に示すように表裏色違いの二枚のシート材を吹流し状にして作られているものがある。（特許文献２参照）
【０００３】
【特許文献１】実用新案登録第３０４２８１３号公報
【特許文献２】特開２００４−３５０７１９号公報
【発明の開示】
【発明が解決しようとする課題】
【０００４】
ところが従来技術による図１７の旗１９では二枚の布や合成樹脂製のシート材１９−１と１９−２が密着しているため雨等で水分を含むと色が滲む。又、陽の光が当たると色が同化して分かりづらく判断が出来なくなる。又、図１９の吹流し２０では旗竿１と吹流し２０を結ぶ紐３が絡んだり、切れたりして良く棚引くことが出来なくなる。そこで、この発明はシート材の色が滲んだり、同化することなく、良く棚引くピンフラッグを提供することを課題とする。
【課題を解決するための手段】
【０００５】
この発明は現在使用されている表裏同一色の一枚の布や合成樹脂製のシート材で作られている旗４の裏側に取り付けるものである。旗4と色の異なるシート材７の先端部に断面形状が、略コ字状の風を通すための段部１０が1個又は、2個連続して形成された細長い板状であって、段部の両端には、取り付け底部１１と段部中央部長手方向の側面に風受け部９を有するフラッグ取り付け装置を取り付けた。さらにシート材７の裏面には半円球状の突起１３を取り付けたピンフラッグ６に係る。
【発明の効果】
【０００６】
この発明によればシート材７の先端部に取り付けられた羽根状の風受け部９に風が当り、風を通すため段部１０を風が通る。さらにシート材７の裏面に半円球状の突起物１３を取り付けたことで旗４とシート材７の間に隙間が確保出来て密着が防げて風通しも更に良くなる。このことで旗の色が滲まず、同化することも防げる。又、現在使用されている旗４と旗竿１に取り付けて使用するので経済的である。
【発明を実施するための最良の形態】
【０００７】
以下、本発明の実施の形態を実施例となる図面を参照して説明する。
【実施例１】
【０００８】
図１及び、図２はこの発明の実施形態となる実施例１を示す。ピンフラッグ６には、図７の既存の旗４に図９のピンフラッグ６を取り付けるため、図１２〜１５、に示すような、取り付け底部１１と風受け部９及び、風を通すための段部１０が一体となった風を通すためのフラッグ取り付け装置８が融着されている。取り付け底部１１にはボルト穴１２が施してある。地域や地形そして季節等による風の強弱に対応して風の取り込み量を調節するために、風を通すための段部１０の長さBや高さG及び、風受け部９の長さCや幅Fさらに取り付け角度Hを変えて使用する。風を通すためのフラッグ取り付け装置８の材質は合成樹脂やステンレスまたはアルミニュウム製である。実施例１で使用する風を通すためのフラッグ取り付け装置８は断面形状が略コ字状の風を通すための段部１０が二個連続のもので単体の長さBが１５５５ｍｍ、幅Eが２０ｍｍそして高さGが２０ｍｍとした。取り付け底部１１は既存の旗４のハトメ穴５の位置に合わせて３箇所とし、長さDが４０ｍｍ、幅Aが３０ｍｍそしてボルト穴１２の直径を１０ｍｍとした。風受け部９は風を通すための段部１０の長手側面に角度H３０度で取り付ける。長さCは１５５５ｍｍ、幅Fが２０ｍｍとした。
【０００９】
図７に示すように、既存の旗４は、旗竿１の周りを自在に回転するように取り付けられた、金属棒２−１とリング２−２で構成された旗取り付け具２に紐３で取り付けられている。リングの材質は合成樹脂製である。又、旗竿１の材質はアルミニュウムや合成樹脂または木製である。直径は１３ｍｍから２０ｍｍ、長さは２１３０ｍｍから２５００ｍｍ程度のものが一般的である。旗４は合成樹脂や布製で縦の長さが３００ｍｍから３２０ｍｍ、横の長さが４００ｍｍから４２０ｍｍ程度のものが一般的である。この実施例１では、旗竿１の直径が１３ｍｍ、旗４の縦の長さが３２０ｍｍ、横の長さが４２０ｍｍのものを用いた。図７の既存の旗４の裏側部分に図９のピンフラッグ６を取り付ける。ハトメ穴５とボルト穴１２を重ね合わせ、ボルト１４で固着する。ボルト１４に付けられたリングに紐３を通して旗取り付け具２と結ぶ。ボルト１４の材質は合成樹脂やステンレスまたはアルミニュウム製である。ピンフラッグの裏側に付けられた半円球状の突起１３の材質はシート材７を構成する合成樹脂や布と同質のものである。
【００１０】
旗４の表とはマークや文字の書き込まれている側で旗竿を手前にして右側の面である。現在使用されている旗４の色は白、黄、赤、青、緑が一般的である。赤以外の旗４には、赤色のシート材７を取り付ける。又、赤の旗４には白色のシート材７を取り付けることで表裏の色別が明確となり、旗が棚引いたときの色の位置関係が判断出来る。赤と白の二色のシート材で全ての色の旗に対応出来るので経済的である。
【実施例２】
【００１１】
図３はこの発明の実施形態となる実施例２を示す。図８の既存の旗４の裏側部分に図９のピンフラッグ６を取り付ける。図８に示すように、既存の旗４と旗竿１は、旗竿１に差し込まれたチューブ管１５の周囲に旗４が巻きつけて固着されている。チューブ管１５は旗竿１の周りを自在に回転するようになっている。この実施例２では旗竿１の直径は１３ｍｍ、チューブ管１５の直径２３ｍｍ、旗４の縦の長さ３２０ｍｍ、横の長さ４２０ｍｍのものを用いた。チューブ管１５の材質は合成樹脂製である。ピンフラッグを既存の旗４の裏側部分に取り付ける。チューブ管１５にクリップ１６を取り付け、クリップ１６のボルト穴１７とボルト穴１２を重ね合わせボルト１８で固着する。クリップ１６は既存の製品を使用する。クリップ１６とボルト１８の材質は合成樹脂やステンレスまたはアルミニュウム製である。
【実施例３】
【００１２】
実施例1及び、実施例２では、風を通すためのフラッグ取り付け装置８は断面形状が略コ字状の風を受ける段部が2個連続のものを使用したが実施例３では図１６に示すような風を通す段部が一個のものを用いて、図１０のような縦の長さを短くしたシート材７−１に取り付ける。ピンフラッグ８−１に対する風圧を半減させて耐久性を増すことが出来るので風の強い海岸沿いのゴルフ場で使用する。
【００１３】
この発明の他の実施形態としては図１１に示すようにシート材７−２には、風を通すためのフラッグ取り付け装置は用いずに、ハトメ穴５を設けて既存の旗４に取り付ける。シート材７−２が小さいため、遠くからでは色の確認が難しくなるので比較的距離の短いパー３のホールで構成された、ショートコースのゴルフ場で使用する。
【図面の簡単な説明】
【００１４】
【図１】この発明の実施例１となる、側面図である。
【図２】この発明の実施例１となる、俯瞰図である。
【図３】この発明の実施例２となる、外観図である。
【図４】この発明の実施例２となる、俯瞰図である。
【図５】この発明の実施例２に用いる、既存のクリップの平面図である。
【図６】この発明の実施例２に用いる、既存のクリップの斜視図である。
【図７】この発明の実施例１に用いる、既存の旗と旗竿及び、旗取り付け具の側面図である。
【図８】この発明の実施例２に用いる、既存の旗と旗竿及び、それらを取り付けるためのチューブ管の側面図である。
【図９】この発明の実施例１、２に用いる、ピンフラッグの側面図である。
【図１０】この発明の実施例３に用いる、ピンフラッグの側面図である。
【図１１】この発明の他の実施例に用いる、ピンフラッグの側面図である。
【図１２】この発明の実施例１、２に用いる、風を通すためのフラッグ取り付け装置の斜視図である。
【図１３】この発明の実施例１、２に用いる、風を通すためのフラッグ取り付け装置の正面図である。
【図１４】この発明の実施例１、２に用いる、風を通すためのフラッグ取り付け装置のアーア断面図である。
【図１５】この発明の実施例に１、２用いる、風を通すためのフラッグ取り付け装置のイーイ断面図である。
【図１６】この発明の実施例３に用いる、風を通すためのフラッグ取り付け装置の斜視図である。
【図１７】従来の表裏に色違いの二枚のシート材を張り合わせた旗の側面図である。
【図１８】従来の表裏に色違いの二枚のシート材を張り合わせた旗の俯瞰図である。
【図１９】従来の表裏に色違いの二枚のシート材を張り合わせた吹流しの側面図である。
【図２０】従来の表裏に色違いの二枚のシート材を張り合わせた吹流しの俯瞰図である。
【符号の説明】
【００１５】
１      旗竿
２      旗取り付け具
２−１  金属棒
２−２  リング
３      紐
４      旗
５      ハトメ穴
６      ピンフラッグ
６−１  ピンフラッグ
６−２  ピンフラッグ
７      シート材
７−１  シート材
７−２  シート材
８      風を通すためのフラッグ取り付け装置
８−１  風を通すためのフラッグ取り付け装置
９      風受け部
１０    風を通すため段部
１１    取り付け底部
１２    ボルト穴
１３    半円球状の突起
１４    紐取り付け用リング付ボルト
１５    チューブ管
１６    クリップ
１７    ボルト穴
１８    ボルト
１９    従来技術による旗
１９−１旗右面のシート
１９−２旗左面のシート
２０    従来技術による吹流し
２０−１吹流し右面のシート
２０−２吹流し左面のシート
【図１】
2006208627.tif 000003
【図２】
2006208627.tif 000004
【図３】
2006208627.tif 000005
【図４】
2006208627.tif 000006
【図５】
2006208627.tif 000007
【図６】
2006208627.tif 000008
【図７】
2006208627.tif 000009
【図８】
2006208627.tif 000010
【図９】
2006208627.tif 000011
【図１０】
2006208627.tif 000012
【図１１】
2006208627.tif 000013
【図１２】
2006208627.tif 000014
【図１３】
2006208627.tif 000015
【図１４】
2006208627.tif 000016
【図１５】
2006208627.tif 000017
【図１６】
2006208627.tif 000018
【図１７】
2006208627.tif 000019
【図１８】
2006208627.tif 000020
【図１９】
2006208627.tif 000021
【図２０】
2006208627.tif 000022